(57)【要約】      （修正有）【課題】仰臥状態で快適に読書をするための仰臥用読書スタンドを提供する。【解決手段】載置板１０は透明な部材で構成され、載置板支持管５０により、下面より支えられている。底板２０には、ねじ止めされたブラケット２１があり、該ブラケット２１に垂直支持管３０が挿入される。該垂直支持管３０の上部にＴ字管４０があって、繋ぎ管６０により、該載置板支持管５０および該透明載置板１０をほぼ水平に保持し、仰臥状態の使用者の頭上に位置させる。【選択図】図１
0003144343.tif 000002
【実用新案登録請求の範囲】
【請求項１】
仰臥状態における使用者の視線前方に透明部材で構成される書籍載置板が設けられている読書スタンドにおいて、該書籍載置板の支持機構として、該書籍載置板をほぼ水平に保つためだけの支持機構を有することを特徴とする仰臥用読書スタンド。
【請求項２】
請求項1に記載の仰臥用読書スタンドであって、
支持機構が該透明な書籍載置板の下面だけから該書籍載置板を支持し、
該透明な書籍載置板の上面が一切の突起物を有さず真平らなことを特徴とする仰臥用読書スタンド。
【考案の詳細な説明】
【技術分野】
【０００１】
本校案は、仰臥状態で快適に読書をするための読書スタンドに関するものである。
【背景技術】
【０００２】
仰臥状態で書籍を手に持ち、長時間読書するとき身体にかかる負担は相当なものであり、そのために書籍を読書台にしっかりと固定する読書台は広く知られているが、分厚書籍の固定が難しい、あるいは固定するが故にページ捲りがやり難いという欠点があり、その解決のために、固定はするがページ捲りのやり易い方法として、特許文献1、２の提案がなされている。
又、固定することを回避する方法として透明な書籍受け板を用いる方法として、特許文献３、４、５、６の提案がなされている。
【特許文献１】特開平10-337221号公報
【特許文献２】特開2004-65871号公報
【特許文献３】実開昭60-42131号公報
【特許文献４】実開昭64-01524号公報
【特許文献５】実開平02-91110号公報
【特許文献６】実開平09-75139号公報
【考案の開示】
【考案が解決しようとする課題】
【０００３】
特許文献１では、読書台全体を支える側板、背板および書物落下防止用の鰐板を用意し、その上さらに書物の大小に応じて位置調整可能なスライダー板と見開き固定金具を要する複雑な構成となったいる。また特許文献2では、本の上下を支えるエッジ支持部を設け、下エッジは固定とし、多様な書物の大きさに対応できる様に、上エッジはスライド式でスプリングの圧力で本を支える方法を採っている。ページ捲りをやり易くするためエッジ厚はかなり大きく取る必要があり、そのため本が浮き上がり読みにくくなるので本の背面から本を押さえる抑え機構が準備する必要があり、本方式の読書台もかなり複雑な構成となっている。
【０００４】
一方、特許文献３〜６の方法は、いずれも透明な書籍受け板を用いることで書籍を固定するための機構を大幅に簡略化することに成功しているといえる。特許文献３では、透明な書籍設置板のその板面が如何なる方向にもなり得ることを特徴としているが、そのため支持柱に対して書籍設置版が自由に回転できるための自由回転機構が必要であり、また、該設置版の板面角度によっては書物の落下を防ぐための止金、あるいは挟み具が必要になる。
【０００５】
特許文献４では、仰臥あるいは座位で読書ができるように透明書籍設置版の傾斜角を病弱な人でも容易に変更できることを目的としているため、座板上に一対の筒状支柱を立設し、各支柱に昇降可能な支持柱を挿入し、支持柱上端部に揺動自在のアームを取付、該アームの溝に透明設置板をスライドさせる構造となっている。また、透明設置板から書籍が落下しないように設置板の前端縁は屈曲形成する必要がある。
【０００６】
特許文献５では、透明な方形な書籍受け板が用意され、仰臥姿勢で顔の上に受け板を位置させ、透明受け板を通して書籍を読むことも、座位姿勢で顔の斜め前方に受け板を位置させ、透明受け板を書籍の置き台として使用して書籍を読むことができるように考えられえいる。そのため支持柱に対して、受け板がある程度自由に回転でき、かつ受け板の下端縁中心に旋回できる機構が設けられており、
また受け板上面には、書類の落下防止用の受け具が必要となる。
【０００７】
特許文献６では、特許文献５と同じ用に仰臥姿勢でも座位姿勢でも利用可能となるように考えられている。そのため透明設置板は、読みやすい角度に傾斜させる機構が用意され、縁部に書籍落下防止用の止めがある。また、本の座りを良くするために設置版の両側縁側が下がるように屈曲形成されており、ページ捲りをやり易くするために設置板の上下いずれの一方の両隅部が隅取状態とする必要がある。
【０００８】
以上述べた様に、従来技術はいずれも、ページ捲り、書籍の落下防止、書籍設置板の自由回転等のために、複雑な機構の採用や設置板への追加工を必要とするため、十分に使いやすくかつ安価な読書スタンドの提供ができないという問題があった。
【課題を解決するための手段】
【０００９】
本考案は、上記した問題に鑑みなされてもので、読書スタンドの使用目的を仰臥用に絞り込むことで一気に問題の解決を図るものである。
すなわち、仰臥状態における使用者の視線前方に透明部材で構成される書籍載置板が設けられている読書スタンドにおいて、本考案では、該書籍載置板の支持機構として、該書籍載置板をほぼ水平に保つためだけの支持機構を有することを特徴とする仰臥用読書スタンドを提供するものである。
【考案の効果】
【００１０】
本考案は、その目的を仰臥姿勢での読書に絞り込んだことにより、書籍載置板は、ほぼ水平を保てば十分である。したがって、傾斜を付けたり、傾斜状態を安定に保つための支持機構は一切不要となり、シンプルな構成を実現できる。また、書籍は水平な載置板に乗せられるので、何ら固定のための仕組がなくても、安定的に載置板の上に留まっている。したがって、落下防止用の柵も不要となり、載置板は透明板である必要はあるが真平らな板で十分であり、特別な加工は一切不要である。このシンプルな支持機構採用が可能なことと透明板への特殊加工が不要であることの２点より、製作工程は短くかつ単純で、その結果、従来にない安価な読書スタンドを提供できる効果がある。
【実施例】
【００１１】
図１は本考案の読書スタンドの全体構成を示す。載置板１０は透明な部材で構成され、載置板支持管５０により、下面より支えられている。底板２０には、ねじ止めされたブラケット２１があり、該ブラケット２１に垂直支持管３０が挿入される。該垂直支持管３０の上部にＴ字管４０があって、繋ぎ管６０により、該載置板支持管５０および該透明載置板１０をほぼ水平に保持し、仰臥状態の使用者の頭上に位置させる。
【００１２】
使用者は、仰臥状態のまま、読もうとする書籍を開き、活字面を下にして透明載置板１０に載せて、該透明載置板１０を通して書籍を読むことができる。読書が進行して、頁捲りが必要となったときは、仰臥状態のまま手を伸ばし、書籍を手に取りページ捲りをする。書籍は該透明載置板１０の上に単に載せてあるだけで、固定されていないので、使用者は容易に書籍を手に取ることでき、極めて簡単に頁捲りができるのが、大きな特徴である。
【００１３】
また、図１に示すように、載置板支持管５０は、透明載置板１０の下面にのみあり、上面には載置板支持管は一切なく、また、透明載置板１０は、ほぼ水平に保たれているので、書籍落下防止用の柵は一切必要ない。このため、透明載置板１０の上面は、突起物がなく、真平らである。したがって、透明載置板１０の上に載せる書籍は、透明載置板１０より大きなサイズであっても支障がなく、場合によっては、新聞紙のように大きなものであっても、載置し、読むことが可能であるのも、本考案の効果の一つである。
【００１４】
本考案の読書スタンドの支持機構は、底板２０、ブラケット２１、垂直支持管３０、Ｔ字管４０、載置板支持管５０、繋ぎ管６０、蓋ブラケット４１から構成される。その中で、垂直支持管３０は、長直管であり、支持機構５０は、Ｔ字管、Ｌ字管、繋ぎ管を組み合わせることで構成できる。したがって、本考案の支持機構は、底板を除くと広く市販されている合成樹脂製の長直管、Ｔ字管、Ｌ字管、繋ぎ管（短直管）、ブラケットを組み合わせ、安価に製作することができる。
【００１５】
本実施例では、市販の合成樹脂製のパイプ材を使用して、支持機構を構成する場合を示したが、当然のことながら支持機構の構成は、パイプ材に限定されるものでなく、丸材、角材あるいはそれらの組合せでもよく、また材質も合成樹脂に限定されるものでなく木材、金属あるいはそれらの組合せであっても良いのは言うまでもない。
【００１６】
又、本実施例は、底板と垂直支持管を用いた例を示したが、底板でなく何かの構造物に垂直支持管を固定する方法も考えられるし、壁面に支持管を固定する場合には、支持管は垂直でないことは言うまでもない。
【図面の簡単な説明】
【００１７】
【図１】本考案の読書スタンド全体図
【符号の説明】
【００１８】
１０  透明載置板
２０  底板
２１  垂直保持ブラケット
３０  垂直支持管
４０  Ｔ字管
４１  蓋ブラケット
５０  載置板支持管
６０  繋ぎ管
【図１】
0003144343.tif 000003
【手続補正書】
【提出日】平成20年6月21日(2008.6.21)
【手続補正１】
【補正対象書類名】実用新案登録請求の範囲
【補正対象項目名】請求項１
【補正方法】変更
【補正の内容】
【請求項１】
仰臥状態における使用者の視線前方に、書籍を載せるための透明部材で構成される長方形状の透明載置板１０が設けられている読書スタンドにおいて、該透明載置板１０をほぼ水平に保つための支持機構として、
該透明載置板１０の下面にあって、該透明載置板１０の3辺と残り１辺の両端部において該載置板１０に固定された載置板支持管５０、
底板２０にねじ止めされた垂直保持ブラケット２１に挿入された垂直支持管３０、
該垂直支持管３０の上部に設けられたT字管４０、
及び該T字管４０と該載置板支持管５０とを繋ぐ繋ぎ管６０
を有し、それ以外に該透明載置板１０の角度調整機構を有さないことを特徴とする仰臥用読書スタンド。